(57)【特許請求の範囲】
【請求項１】
互いに折り畳み可能に枢着された上半部と下半部とからなる携帯電話であって、指掛用帯状体の上下端部を上記携帯電話の上下半部背面における枢着部の近傍部に夫々取付けて、上記携帯電話の上下半部を折り畳んだ状態においては上記帯状体の内面を上下半部の背面に密接させ、展開した状態においては上記帯状体を上記携帯電話の背面から離間させて上記帯状体の内面と上記携帯電話の背面との対向面間に指が挿通可能な指挿通孔を形成するように構成していることを特徴とする携帯電話。
【請求項２】
携帯電話の前面下部にボタン操作部が備えられ、上記携帯電話の下端に上記ボタン操作部を開閉自在に閉止する蓋部材が上下回動自在に枢着されている携帯電話であって、指掛用帯状体を上記枢着部上を直交するようにＵ字状に配してその一端部を上記携帯電話の背面に、他端部を上記蓋部材の表面に夫々取付け、上記蓋部材を閉止した状態においては上記帯状体の内面を上記携帯電話の背面から上記蓋部材の表面に亘って密着させ、上記蓋部材を開放した状態においては上記帯状体を上記携帯電話の背面及びに上記蓋部材の表面から離間させて上記帯状体の内面と上記携帯電話の背面及びに上記蓋部材の表面との対向面間に指が挿通可能な指挿通孔を形成するように構成していることを特徴とする携帯電話。
【請求項３】
上半部と下半部とが互いに折り畳み可能に枢着された携帯電話のケースであって、ケース主体は携帯電話の上半部と下半部とを収納するケース上半部とケース下半部とを折り畳み可能に形成していると共に、指掛用帯状体の上下端部を上記ケース主体の上下半部背面の対向部に夫々取付けて、上記ケース主体の上下半部を折り畳んだ状態においては上記帯状体を上記ケース主体の上下半部の間において緊張させ、上記ケース主体の上下半部を展開した状態においては上記帯状体を上記ケース主体の上下半部の間において弛緩させて上記帯状体の内面と上記ケース主体の背面との対向面間に指が挿通可能な指挿通孔を形成するように構成していることを特徴とする携帯電話ケース。
【発明の詳細な説明】
【０００１】
【発明の属する技術分野】
本発明は、安定的に且つ確実に支持することができるとともにボタン操作を円滑に且つ確実に行うことができる携帯電話、及び、収納した携帯電話を安定的に且つ確実に支持することができるとともにボタン操作を円滑に且つ確実に行うことができる携帯電話ケースに関する。
【０００２】
【従来の技術】
今日、通信手段として携帯電話が広く普及している。そして、携帯電話の前面に配列されたボタンを押して、電話番号を入力して電話をかけたり或いは電子メールに打つ文章を作成して電子メールを送信している。
【０００３】
上記携帯電話の前面に配設されたボタンを押すに際しては、上記携帯電話を掌上に載置し親指を除いた四本の指で背面側から安定的に包持して、親指で上記携帯電話の前面のボタンを押している。
【０００４】
しかしながら、上記携帯電話のボタンは、その大きさが非常に小さいものであることから、親指を除いた四本の指で携帯電話を包持し、これら四本の指を固定させた状態で親指を前後左右方向に細かく移動させるのは困難を伴い、特に、お年寄りにとっては顕著であった。
【０００５】
そこで、一方の手で携帯電話を支持しつつ他方の手の指で携帯電話のボタンを押すことも考えられるが、携帯電話は外出先で使用するのが殆どである一方、外出先では一方の手に鞄等を持っていることが多く、一方の手だけで安定的に支持しつつ円滑に操作できる携帯電話が所望されていた。
【０００６】
【発明が解決しようとする課題】
本発明は、一方の手だけで安定的に支持しつつ円滑にボタン操作することができる携帯電話、及び、収納した携帯電話を一方の手だけで安定的に支持しつつ円滑にボタン操作することができる携帯電話ケースを提供する。
【０００７】
【課題を解決するための手段】
請求項１に記載の携帯電話は、互いに折り畳み可能に枢着された上半部と下半部とからなる携帯電話であって、指掛用帯状体の上下端部を上記携帯電話の上下半部背面における枢着部の近傍部に夫々取付けて、上記携帯電話の上下半部を折り畳んだ状態においては上記帯状体の内面を上下半部の背面に密接させ、展開した状態においては上記帯状体を上記携帯電話の背面から離間させて上記帯状体の内面と上記携帯電話の背面との対向面間に指が挿通可能な指挿通孔を形成するように構成していることを特徴とする。
【０００８】
請求項２に記載の携帯電話は、携帯電話の前面下部にボタン操作部が備えられ、上記携帯電話の下端に上記ボタン操作部を開閉自在に閉止する蓋部材が上下回動自在に枢着されている携帯電話であって、指掛用帯状体を上記枢着部上を直交するようにＵ字状に配してその一端部を上記携帯電話の背面に、他端部を上記蓋部材の表面に夫々取付け、上記蓋部材を閉止した状態においては上記帯状体の内面を上記携帯電話の背面から上記蓋部材の表面に亘って密着させ、上記蓋部材を開放した状態においては上記帯状体を上記携帯電話の背面及びに上記蓋部材の表面から離間させて上記帯状体の内面と上記携帯電話の背面及びに上記蓋部材の表面との対向面間に指が挿通可能な指挿通孔を形成するように構成していることを特徴とする。
【０００９】
請求項３に記載の携帯電話ケースは、上半部と下半部とが互いに折り畳み可能に枢着された携帯電話のケースであって、ケース主体は携帯電話の上半部と下半部とを収納するケース上半部とケース下半部とを折り畳み可能に形成していると共に、指掛用帯状体の上下端部を上記ケース主体の上下半部背面の対向部に夫々取付けて、上記ケース主体の上下半部を折り畳んだ状態においては上記帯状体を上記ケース主体の上下半部の間において緊張させ、上記ケース主体の上下半部を展開した状態においては上記帯状体を上記ケース主体の上下半部の間において弛緩させて上記帯状体の内面と上記ケース主体の背面との対向面間に指が挿通可能な指挿通孔を形成するように構成していることを特徴とする。
【００１０】
【作用】
本発明の携帯電話の使用要領を説明する。本発明の携帯電話は、従来の携帯電話のように親指を除いた四本の指で携帯電話を包持する必要はなく、一本の指を指挿通孔に挿通、係止させるだけで上記携帯電話を不測に落下させることなく安定的に支持することができ、指挿通孔に挿通させた指以外の四本の指は自由な状態とされており、よって、親指以外の四本の指を適宜動かしながら、親指を円滑に且つ確実に動かして携帯電話のボタンを正確に且つ確実に押して携帯電話を操作することができる。
【００１１】
【発明の実施の形態】
本発明の携帯電話の実施例を図面を参照しつつ説明する。本発明の携帯電話は、折り畳み可能に形成してなる携帯電話６に、携帯電話６が開放した状態においてのみ指が挿通可能となる指挿通孔66を設けるように構成している。
【００１２】
図１乃至図３はその一例を示すもので、上記携帯電話６は該携帯電話６の上半部61の下端と該携帯電話６の下半部62の上端とが互いに折り畳み可能に枢着63されてなり、この枢着部63によって連結された上下半部61、62の対向端部の背面は凸円弧状面に形成されていて、折り畳んだ状態においては互いに半円形状の湾曲対向面65を形成する一方、指掛用帯状体64の上下端部を上記携帯電話６の上半部61の背面61a と下半部62の背面62a とにおける枢着部63の近傍部に夫々取り付けてある。なお、上記指掛帯状体64の上下端部を面ファスナを介して上記携帯電話６の上半部61の背面61a と下半部62の背面62a とにおける枢着部63の近傍部に夫々、着脱自在に取り付けられてもよい。
【００１３】
具体的には、上記帯状体64は可撓性を有し且つ上下方向に長い長方形状を有していると共に、該帯状体64の上端部が上記携帯電話６の上半部61の背面61a の幅方向中央部分の下端近傍部に一体的に取付けられ、該帯状体64の下端部が携帯電話６の下半部62の背面62a の幅方向中央部分の上端近傍部に一体的に取付けられている。
【００１４】
そして、上記携帯電話６が折り畳まれた状態においては図２に示すように、上記帯状体64の内面64a を枢着部63によって互いに回動自在に連結している上下半部61、62の対向端部における上記湾曲対向面65に接してあり、携帯電話６が展開した状態においては帯状体64を携帯電話６の上記湾曲対向面65から離間させて帯状体64の内面64a と携帯電話６の上下半部61、62の対向端部背面との間に指が挿通可能な指挿通孔66を形成するように携帯電話６は構成されている。
【００１５】
即ち、図２に示す折り畳まれた状態にある携帯電話６の上下半部61、62を枢着部63を中心として図３に示すように展開させると、帯状体64の内面64a に接していた携帯電話の上下半部61、62の湾曲対向面65が、帯状体64の内面64a に対して相対的に離れる方向に移動しながら互いに面一状に展開し、帯状体64の内面64a と展開した上下半部61、62の対向端部背面との間に指が挿通可能な指挿通孔66が形成される。
【００１６】
また、携帯電話６の上下半部61、62を二つ折り状態に折り畳むと、面一状に展開していた上下半部61、62の対向端部の背面が湾曲対向面65に変化しながら帯状体64の湾曲内面64a に向かって移動し、ついには上下半部61、62の湾曲対向面65が帯状体64の湾曲内面64a に全面的に接した状態となるものである。
【００１７】
上記のように構成された携帯電話６を使用する時は、図２に示す折り畳まれた状態にある携帯電話６を、図１及び図３に示すように枢着部63を中心として展開する。すると、携帯電話６の上半部61の前面61b 及びに下半部62の前面62b が共に前方に露出した状態となると共に、携帯電話６の上半部61の背面61a 及びに下半部62の背面62a が互いに面一状に展開して携帯電話６の背面を形成し、携帯電話６を使用することが可能になる。一方で、携帯電話６上下半部61、62の湾曲対向面が帯状体64の湾曲内面64a から離間しながら互いに面一状に展開して、帯状体64の内面64a と上下半部61、62の対向端部背面との間に指が挿通可能な指挿通孔66が形成される。
【００１８】
次に、図１及びに図３のように展開した状態となっている携帯電話６の指挿通孔63内に右手又は左手のうちの何れか一方の手（図３では左手）の人差し指Ｃを挿入、係止させて、携帯電話６を人差し指Ｃで安定的に支持する。なお、人差し指Ｃ以外の中指、薬指及び小指は上記携帯電話６の下半部62の背面62a 又は側面62c に沿わせた状態とする。
【００１９】
このとき、上記携帯電話６はその指挿通孔66に挿通、係止させた人差し指Ｃによって不測に落下するのを防止された状態で安定的に支持される一方、人差し指Ｃ以外の中指、薬指及び小指は上記携帯電話６の下半部62の背面62a 又は側面62c に沿わせた自由な状態となっている。
【００２０】
従って、自由な状態の中指、薬指及び小指を適宜動かすことによって親指Ｔを円滑に且つ正確に動かし、安定的に支持された携帯電話６の下半部62の前面62b に配設されたボタン67を親指Ｔで円滑に且つ確実に押し、携帯電話６を軽快に操作して通話或いは電子メールの作成、送信を行うことができる。
【００２１】
一方、上記携帯電話６を使用し終えたときは、指挿通孔66に挿通、係止していた人差し指Ｃを該指挿通孔66から抜脱した後、図１に示す展開した状態の携帯電話６を枢着部63を中心として折り畳む。すると、面一状に展開していた上下半部61、62の対向端部の背面が湾曲対向面65に変化しながら帯状体64の湾曲内面64a に向かって移動し、ついには図２に示すように上下半部61、62の湾曲対向面65が帯状体64の湾曲内面64a に全面的に接した状態となる。
【００２２】
従って、帯状体64が不測に何かに絡みついたり引っかかったりする虞れがないので、携帯電話６を折り畳んで携行する際にも帯状体64が妨げになることが全くなく、好適に携帯電話６を携行することができる。
【００２３】
なお、上記では、指掛用帯状体64を可撓性を有する素材で形成した場合について示したが、指掛用帯状体64はゴムなどの弾性体で上下方向に伸縮自在に形成されたものであってもよい。
【００２４】
また、第２実施例として、上記第１実施例に示す携帯電話６の指掛用帯状体64の外面64b における長さ方向の中央部に、図４及び図５に示すように、指掛用板体68を取付けて、この指掛用板体68と指掛用帯状体64とによって、指が係止可能な指係止部69を形成した構造としておいてもよい。すなわち、指掛用板体68は帯状体64の幅よりも大径である正面円形板形状に形成されており、その裏面68a 中央部を上記帯状体64の外面64b の上下方向の中央部に固着している。なお、第１実施例の携帯電話と同一構造部分については同一符号を付してその説明を省略する。
【００２５】
そして、携帯電話６の上下半部61、62を枢着部63を中心として展開した状態においては図４に示すとおり、指掛用帯状体64が携帯電話６の上下半部61、62の湾曲対向面65から後方に離間して指掛用板体68が携帯電話６の枢着部背面から持ち上げられ状態となる。
【００２６】
この状態にして、右手又は左手の何れか一方の手（図４では左手）の二本の指例えば人差し指Ｃ及び中指Ａを以下の手順で指係止部69に係止する。すなわち、上記帯状体64の外面64b の上半部と下半部との外面を人差し指Ｃと中指Ａとで挟持すると、帯状体64の上下半部が夫々人差し指Ｃと中指Ａとの表面に密接しながら互いに接近する方向、即ち、指掛用板体68の内面中央部に向かって円弧状に湾曲変形し、この湾曲変形した帯状体64の上下半部と指掛用板体68の内面とに人差し指Ｃと中指Ａとを夫々係止して、上記携帯電話６を安定的に支持することができ、上記第１実施例と同様に、親指Ｔを円滑に且つ正確に動かし、ボタン67を親指Ｔで円滑に且つ確実に押し、携帯電話６を軽快に操作することができる。
【００２７】
また、このように、二本の指Ａ、Ｃによって指掛用帯状体64の上下半部を外面から挟持する使用方法以外に、上記第１実施例と同じく、携帯電話６が展開した状態において後方に湾曲変形する指掛用帯状体64の内面と携帯電話６の上下半部61、62の枢着部背面との間に一本の指例えば人差し指Ｃを着脱自在に挿入、掛止して携帯電話６を安定的に支持してもよい。
【００２８】
また、上記第１実施例では上半部61と下半部62とを折り畳み可能に形成してなる携帯電話６に指挿通孔66を設けた場合について説明したが、第３実施例として、携帯電話７の下端に蓋部材71が上下回動自在に枢着されている携帯電話７に、上記蓋部材71が開放した状態においてのみ指が挿通可能となる指挿通孔75を設けてもよい。
【００２９】
即ち、図６乃至図８に示すとおり、上記携帯電話７はその前面下部にボタン操作部76が備えられ、該携帯電話７の前面下端に上記ボタン操作部76を開閉自在に閉止する蓋部材71の一端部が上下回動自在に枢着72されていると共に、携帯電話７の下端面は凸円弧状湾曲面79に形成されてあり、指掛用帯状体73の両端部を携帯電話７の背面74の下端部と蓋部材71の表面71a における枢着部72の近傍部に夫々取付けてある。なお、指掛用帯状体73の両端部を面ファスナを介して携帯電話７の背面74の下端部と蓋部材71の表面71a における枢着部72の近傍部に夫々、着脱自在に取付けてもよい。
【００３０】
具体的には、上記帯状体73は可撓性を有し且つ前後方向に長い長方形状を有していると共に、該帯状体73の一端部が蓋部材71の表面71a の幅方向中央部分の下端近傍部に一体的に取付けられ、帯状体73の他端部が携帯電話７の背面74の幅方向中央部分の下端近傍部に一体的に取付けられている。
【００３１】
そして、上記蓋部材71が閉止された状態においては図６に示すように上記帯状体73の内面73a を携帯電話７の凸円弧状湾曲面79から蓋部材71の一端部に亘って側面Ｕ字状に接した状態に配設されてあり、蓋部材71が開放された状態においては図７に示すように帯状体73が携帯電話７の凸円弧状湾曲面79から離間して帯状体73の内面73a と携帯電話７の凸円弧状湾曲面79との間に指が挿通可能な指挿通孔75を形成するように構成している。
【００３２】
上記のように構成された携帯電話７を使用する時には、閉止された状態の蓋部材71を枢着部72を中心として下回動させて該蓋部材71を開放すると、ボタン操作部76が前面に露出して携帯電話７は使用可能となると共に、帯状体73の内面73a に接した携帯電話７の下端部における凸円弧状湾曲面79が、帯状体73の内面73a に対して相対的に離れる方向に移動し、帯状体73の湾曲内面73a と展開した携帯電話７の凸円弧状湾曲面79との間に指が挿通可能な指挿通孔75が形成される。
【００３３】
そして、上記の第１実施例における携帯電話６を使用する際と同様に、蓋部材71が開放された状態となっている携帯電話７の指挿通孔75内に右手又は左手のうちの何れか一方の手の何れか一本の指（図８では左手の薬指Ｄ）を挿入、係止させて、該一本の指で携帯電話７を安定的に保持する。
【００３４】
このとき、図８に示すように、携帯電話７は薬指Ｄによって落下を防止した状態で安定的に保持され、一方で、人差し指、中指及び小指は携帯電話７の背面74又は側面74' 若しくは蓋部材71の表面71a に沿った自由な状態となっており、自由な状態となっている人差し指、中指及び小指を適宜動かしながら、親指Ｔで携帯電話７の前面下部のボタン操作部76に配置されたボタン76a を円滑且つ確実に押して、携帯電話７を軽快に操作することができる。
【００３５】
一方、上記携帯電話７を使用し終えた時は、指挿通孔75に挿通、係止させていた薬指Ｄを該指挿通孔75から抜いた後、開放した状態となっている蓋部材71を枢着部72を中心にして上方に向かって回動させてボタン操作部76を閉止する。すると、携帯電話７の下端部が湾曲している帯状体73の内面73a に向かって移動し、ついには帯状体73の屈曲内面73a が携帯電話７の凸円弧状湾曲面79から蓋部材71の表面一端部に亘って全面的に接した状態となる。従って、帯状体73が不測に何かに絡みついたり引っかかったりする虞れがないので、蓋部材71を閉止した状態で携帯電話７を携行する際にも帯状体73が妨げになることはなく、携帯電話７を軽快に携行することができる。
【００３６】
なお、上記では、指掛用帯状体73を可撓性を有する素材で形成した場合について示したが、指掛用帯状体73はゴムなどの弾性体で前後方向に伸縮自在に形成されたものであってもよい。
【００３７】
また、第４実施例として、第３実施例に示した携帯電話７の指掛用帯状体73の外面73b における長さ方向の中央部に、図９及びに図10に示すような、指掛用板体68を取付けてこの指掛用板体68と指掛用帯状体73とによって指が係止可能な指係止部78を形成した構造としておいてもよい。指係止部78は、第２実施例に挙げた携帯電話６に備えられた指係止部69と全く同一構造を有するものであるので、同一構造部分については同一符号を付してその説明を省略する。
【００３８】
指係止部78を備えた携帯電話７を使用するには、上記第２実施例における指係止部69を備える携帯電話６を使用する時と同様に、蓋部材71を開放した後に、右手又は左手の何れか一方の手の二本の指（図10では左手の中指Ａ及び薬指Ｄ）を帯状体73の上下部と下半部の外面を挟持した状態に指掛用板体68に係止させ、上記二本の指Ａ、Ｄによって携帯電話７を安定的に支持する。
【００３９】
このとき、図10に示すように、携帯電話７は上記二本の指Ａ、Ｄによって安定的に支持されている一方で、左手の人差し指及び小指は携帯電話７の背面74又は側面74' 若しくは蓋部材71の表面71a に沿った自由な状態となっており、自由な状態となっているこれら人差し指及び小指を適宜動かしながら親指Ｔでボタン76a を円滑且つ確実に押して、携帯電話７を軽快に操作することができる。
【００４０】
また、上記のように二本の指Ａ、Ｄを指掛用板体68に係止させる使用方法以外に、上記実施例と同じく、蓋部材71が展開した状態において後方に湾曲変形する指掛用帯状体73の内面と携帯電話７の凸円弧状湾曲面79との間に一本の指例えば薬指Ｄを指挿通孔75に挿脱自在に挿入、係止して携帯電話７を安定的に支持してもよい。
【００４１】
上記第１〜第４実施例においては、上下半部61、62を折り畳み可能に形成された携帯電話６に直接指挿通孔66を設けた場合、及びに蓋部材71を携帯電話７の下端に枢着された携帯電話７に直接指挿通孔75を設けた場合を説明したが、第５実施例として、折り畳み可能な携帯電話Ｅを収納可能であり且つ折り畳み可能であるケース主体80に、上記ケース主体80が展開した状態においてのみ指が挿通可能となる指挿通孔86を一体的に設けてなる、図11乃至図14に示すような携帯電話ケース８を用いてもよい。
【００４２】
携帯電話Ｅは、該携帯電話Ｅの上半部91の下端と該携帯電話Ｅの下半部92の上端とが上下回動自在に枢着93されて折り畳み可能に形成されて、この枢着部93によって連結された上下半部91、92の対向端部の背面は凸円弧状面に形成されていて、折り畳んだ状態においては互いに半円形状の湾曲対向面94を形成する一方で、ケース主体80を形成するケース上半部81とケース下半部82とは互いに折り畳み可能に形成されていると共に、ケース上半部81は上記携帯電話Ｅの上半部91を収納可能に、ケース下半部82は上記携帯電話Ｅの下半部92を収納可能に夫々構成されている。
【００４３】
具体的には、図11に示したとおり、ケース上半部81は、携帯電話Ｅの上半部91の平面形状と略同形同大の背板81a の全周縁部から携帯電話Ｅの上半部91の厚みと略同じ或いはやや低い一定高さを有する周壁81b が前方に向けて延設されてなっている。但し、周壁81b はケース上半部81の下方において切除されて、下方に向かって開放した形状を有しており、背板81a の前面及びに周壁81b の内面に囲まれた部分を前方及びに下方に開放した凹部81c に形成している。そして、上記凹部81c には上記携帯電話Ｅの上半部91を収納できるように構成されている。
【００４４】
そして、ケース下半部82は、携帯電話Ｅの下半部92の平面形状と略同形同大の背板82a の全周縁部から携帯電話Ｅの下半部92の厚みと略同じ或いはやや低い一定高さを有する周壁82b が前方に向けて延設されてなっている。但し、周壁82b はケース下半部82の上方において切除されて、上方に向かって開放した形状を有しており、背板82a の前面及びに周壁82b の内面に囲まれた部分を前方及びに上方に開放した凹部82c に形成している。そして、上記凹部82c には上記携帯電話Ｅの下半部92を収納できるように構成されている。
【００４５】
さらに、上記ケース上半部81の周壁81b の左右開放端から下方に向けて枢支用突片81b'、81b'が延設されており、一方でケース下半部82の周壁82b の左右開放端から上方に向けて枢支用突片82b'、82b'が延設されて、上記突片81b'、81b'と上記突片82b'、82b'とがピンなどの枢軸83、83によって鋲着されている。かくのごとくして、ケース上半部81とケース下半部82とが枢軸83、83を中心に上下回動自在に枢着されて、折り畳み可能なケース主体80をなしている。
【００４６】
そして、ケース主体80は上記携帯電話Ｅの上半部91をケース上半部81の凹部81c に、下半部92をケース下半部82の凹部82c にそれぞれ挿入して携帯電話Ｅをケース主体80に収納可能となっていると共に、ケース主体80に携帯電話Ｅを収納した状態でケース主体80を折り畳んだときにはケース上下半部81、82の背板81a 、82a の対向端部が互いに離間する方向に枢軸83、83を中心に回動して、ケース上下半部81、82の背板81a 、82a の対向端部間は開口部88に形成され、上記携帯電話Ｅの湾曲対向面94が上記開口部88を貫通して後方に突出した形状をなす一方で、ケース主体80を展開したときには、ケース上下半部81、82の背板81a 、82a の対向端部が互いに接近する方向に移動して上記開口部88が閉口されて、上記ケース上下半部81、82の背面81d 、82d が面一状に展開してケース主体80の背面87を形成するように構成されている。
【００４７】
また、ケース上半部81の凹部81c の上方隅部には、携帯電話Ｅの上半部91の上端にあるアンテナ91a を外部に露出させるためのアンテナ露出用孔81e がケース上半部81の内外面間に亘って穿設されている。
【００４８】
なお、携帯電話Ｅがケース主体80から前方に向かって不測に脱落しないように、ケース上半部81の周壁81b 及びにケース下半部82の周壁82b の前方開口端縁の任意の箇所から周壁81b 及びに周壁82b の内側方向に向かって保持用爪体（図示せず）を一体的に突設して、携帯電話Ｅをケース主体80に収納する際には上記爪体を携帯電話Ｅの前面に係止させて上記爪体が携帯電話Ｅを保持するような構成をとってもよい。
【００４９】
さらに、上記ケース上下半部81、82の対向端部背面には指掛用帯状体85の上下端部が取付けられて、携帯電話ケース８に携帯電話Ｅが収納されて且つケース主体80が折り畳まれた状態においては、図13に示すように、上記帯状体85の内面85a がケース上下半部81、82の背面81d 、82d 及び携帯電話Ｅの上記湾曲対向面94に全面的に接してあり、ケース主体80が展開された状態においては、図12に示すように、上記帯状体85を弛緩させて上記帯状体85をケース上下半部81、82の背面81d 、82d 及び携帯電話Ｅの上記湾曲対向面94から離間させると共に、上記開口部88は閉口して上記ケース上下半部81、82の背面81d 、82d が面一状のケース主体80の背面87を形成し、帯状体85の内面85a とケース主体80の背面87との間に指が挿通可能な指挿通孔86が形成されるように携帯電話ケース８は構成されている。
【００５０】
即ち、図13に示す折り畳まれた状態にあるケース主体80の上下半部81、82を枢軸83、83を中心に図12に示すように展開させると、帯状体85の内面85a に接していたケース主体80の上下半部81、82の背面81d 、82d 及びに携帯電話Ｅの湾曲対向面94が、帯状体85の内面85c に対して相対的に離れる方向に移動しながら展開すると共に、上下半部81、82の背面81d 、82d の対向端部が互いに接近する方向に移動し、上記開口部88を略閉口して、上記ケース上下半部81、82の背面81d 、82d が面一状のケース主体80の背面87を形成し、上記帯状体85の内面85c とケース主体80の背面87との間に指が挿通可能な指挿通孔86が形成される。
【００５１】
又、ケース主体80の上下半部81、82を二つ折り状態に折り畳むと、ケース上下半部81、82の背面81d 、82d の対向端部が互いに離間する方向に移動してケース上下半部81、82の背面81d 、82d の対向端部間に開口部88が形成されて携帯電話Ｅの湾曲対向面94が上記開口部88を貫通して後方に突出した形状をなすと同時に、ケース上下半部81、82の背面81d 、82d の対向端部及びに携帯電話Ｅの湾曲対向面94が帯状体85の湾曲内面85a に接近する方向に移動し、ついには帯状体85の内面85a とケース上下半部81、82の背面81d 、82d 及び携帯電話Ｅの湾曲対向面94とが全面的に接した状態となる。
【００５２】
上記のように構成された携帯電話ケース８を使用する時は、ケース主体80を枢軸83、83を中心に展開して、折り畳み可能な携帯電話Ｅの上半部91をケース上半部81の凹部81c に、下半部92をケース下半部82の凹部82c にそれぞれ嵌入して、携帯電話Ｅをケース主体80に収納しておく。
【００５３】
そして、携帯電話Ｅを使用する時には、折り畳まれた状態にあるケース主体80を枢軸83、83を中心として展開する。すると、携帯電話Ｅの前面95が前方に露出した状態となって携帯電話Ｅは使用可能となる一方で、帯状体85の内面85a に接していたケース主体80の上下半部81、82の背面81d 、82d 及びに携帯電話Ｅの湾曲対向面94が、帯状体85の内面85a に対して相対的に離れる方向に移動しながら展開すると共に、上下半部81、82の背面81d 、82d の対向端部が互いに接近する方向に移動して、上記開口部88が閉口されて上記ケース上下半部81、82の背面81d 、82d が面一状のケース主体80の背面87を形成し、上記帯状体85の内面85c とケース主体80の背面87との対向面間に指が挿通可能な指挿通孔86が形成される。
【００５４】
次に、図12及び図14のように展開した状態となっている携帯電話ケース８の指挿通孔86内に右手又は左手のうちの何れか一方の手の一本の指（図14では左手の人差し指Ｃ）を挿入、係止させて、携帯電話ケース８を上記一本の指で安定的に支持する。なお、人差し指Ｃ以外の中指、薬指及び小指は上記携帯電話ケース８の下半部82の背面82d 又は側面82e に沿わせた状態とする。
【００５５】
このとき、上記携帯電話ケース８はその背面に形成された指挿通孔86に挿通、係止させた人差し指Ｃによって落下を防止した状態で安定的に支持されている一方、人差し指Ｃ以外の中指、薬指及び小指は上記携帯電話ケース８の下半部82の背面82d 又は側面82e に沿わせた自由な状態となっている。
【００５６】
従って、自由な状態の中指、薬指及び小指を適宜動かすことによって親指Ｔを円滑に且つ正確に動かし、安定的に支持されたケース主体80に収納された携帯電話Ｅの下半部92の前面に配設されたボタン96を親指Ｔで円滑に且つ確実に押し、携帯電話Ｅを軽快に操作して通話或いは電子メールの作成、送信を行うことができる。
【００５７】
一方、上記携帯電話Ｅを使用し終えたときは、携帯電話ケース８の背面に形成された指挿通孔86に挿通、係止していた指を該指挿通孔86から抜いた後、展開した状態となっているケース主体80のケース上下半部81、82を枢軸83、83を中心として二つ折り状態に折り畳む。すると、ケース上下半部81、82の背面81d 、82d の対向端部が互いに離間する方向に移動してケース上下半部81、82の背面81d 、82d の対向端部間に開口部88が形成されて携帯電話Ｅの湾曲対向面94が上記開口部88を貫通して後方に突出した形状をなすと同時に、ケース上下半部81、82の背面81d 、82d の対向端部及びに携帯電話Ｅの湾曲対向面94が帯状体85の湾曲内面85c に接近する方向に移動し、ついには帯状体85の内面85a とケース上下半部81、82の背面81d 、82d 及び携帯電話Ｅの湾曲対向面94とが全面的に接した状態となる。
【００５８】
この時、帯状体64は、折り畳まれた状態となっているケース主体80の上下半部81、82の背面81d 、82d 及び携帯電話Ｅの湾曲対向面94に全面的に接した状態となっており、帯状体85が不測に何かに絡みついたりひっかかったりする虞れがないので、携帯電話Ｅ及びにケース主体80を折り畳んで携行する際に帯状体85が妨げになることが全くなく、好適に携帯電話Ｅ及びにケース主体80を携行することができる。
【００５９】
なお、上記では、指掛用帯状体85を可撓性を有する素材で形成した場合について示したが、指掛用帯状体85はゴムなどの弾性体で上下方向に伸縮自在に形成されたものであってもよい。
【００６０】
また、上記第５実施例においては、ケース上半部81とケース下半部82とが軸体83を中心に上下回動自在に枢着されて折り畳み可能なケース主体80を形成している場合について説明したが、第６実施例として、図15に示すように、ケース主体80は、互いに別体をなしているケース上下半部81、82の背面対向端部に上記指掛用帯状体85の両端部をそれぞれ取付けて折り畳み可能に形成されると共に、ケース主体80の上下半部81、82を折り畳んだ状態においては帯状体85をケース主体80の上下半部81、82の間において緊張させ、ケース主体80の上下半部81、82を展開した状態においては帯状体85をケース主体80の上下半部81、82の間において弛緩させて帯状体85の内面85a とケース主体80の背面87及び携帯電話Ｅの背面との対向面間に指が挿通可能な指挿通孔を形成するように構成していてもよい。ケース上半部81及びにケース下半部82の構造に関しては、上記第５実施例のケース主体80におけるものと全く同一であるので、同一構造部分には同一符号を付してその説明を省略する。
【００６１】
上記のように構成された第６実施例における携帯電話ケース８によっても、上記第５実施例における場合と同様に、携帯電話ケース８を展開して携帯電話Ｅを使用する際には、指挿通孔86に例えば人差し指といった一本の指を挿通、係止して携帯電話ケース８を上記一本の指で安定的に支持して親指Ｔで携帯電話Ｅを軽快に操作することができると共に、携帯電話ケース８を折り畳んだ際には、帯状体85は緊張して携帯電話ケース８の上下半部対向端部及びに携帯電話Ｅの湾曲対向面94に沿った状態となり、携帯電話ケース８及び携帯電話Ｅを好適に携行することができる。
【００６２】
また、第７実施例として、第５実施例の携帯電話ケース８は、図16及び図17に示すように、帯状体85の外面85b に指掛用板体68を一体的に装着されてなる、上記第２実施例において携帯電話６が備えていた指係止部69と同様の構成を有する指係止部89を備えていてもよい。指係止部89の構成及び使用様態に関しては、図４及び図５に示した第２実施例の携帯電話６の備える指係止部69の構成及び使用様態と全く同一であるので、同一符号を付してその説明を省略する。
【００６３】
上記のように構成されて指係止部89を設けられてなる携帯電話ケース８によっても、携帯電話ケース８を展開して携帯電話Ｅを使用する際には、上記実施例の携帯電話６、７を使用する際と同様に、例えば人差し指Ｃ及び中指Ａという二本の指を指係止部89に係止させて上記携帯電話ケース８を安定的に支持することができ、親指Ｔを円滑に且つ正確に動かし、ボタン96を親指Ｔで円滑に且つ確実に押し、携帯電話Ｅを軽快に操作することができる。
【００６４】
【発明の効果】
請求項１に記載の携帯電話は、互いに折り畳み可能に枢着された上半部と下半部とからなる携帯電話であって、指掛用帯状体の上下端部を上記携帯電話の上下半部背面における枢着部の近傍部に夫々取付けて、上記携帯電話の上下半部を折り畳んだ状態においては上記帯状体の内面を上下半部の背面に密接させ、展開した状態においては上記帯状体を上記携帯電話の背面から離間させて上記帯状体の内面と上記携帯電話の背面との対向面間に指が挿通可能な指挿通孔を形成するように構成していることを特徴としているので、上記携帯電話を使用する際には上記携帯電話を展開して上記帯状体の内面と上記携帯電話の背面との対向面間に形成された指挿通孔に一本の指を挿入、係止して上記携帯電話を落下を防止した状態で安定的に保持し上記一本の指を除く指を自由な状態になして、自由な状態の指を適宜動かしながら親指で上記携帯電話のボタンを確実に押して上記携帯電話を軽快に操作することができると共に、上記携帯電話を使用しない際は上記携帯電話を折り畳んで上記帯状体を上記携帯電話の上下半部の背面に沿った状態になして、好適に上記携帯電話を携行することができる。
【００６５】
請求項２に記載の携帯電話は、携帯電話の前面下部にボタン操作部が備えられ、上記携帯電話の下端に上記ボタン操作部を開閉自在に閉止する蓋部材が上下回動自在に枢着されている携帯電話であって、指掛用帯状体を上記枢着部上を直交するようにＵ字状に配してその一端部を上記携帯電話の背面に、他端部を上記蓋部材の表面に夫々取付け、上記蓋部材を閉止した状態においては上記帯状体の内面を上記携帯電話の背面から上記蓋部材の表面に亘って密着させ、上記蓋部材を開放した状態においては上記帯状体を上記携帯電話の背面及びに上記蓋部材の表面から離間させて上記帯状体の内面と上記携帯電話の背面及びに上記蓋部材の表面との対向面間に指が挿通可能な指挿通孔を形成するように構成していることを特徴としているので、上記携帯電話を使用する際には上記蓋部材を開放して上記帯状体の内面と上記携帯電話の背面及びに上記蓋部材の表面との対向面間に形成された指挿通孔に一本の指を挿通して上記携帯電話を落下を防止した状態で安定的に支持すると共に上記一本の指を除いた指を自由な状態となして上記一本の指を除いた指を適宜動かしながら親指で上記携帯電話のボタンを確実に押して上記携帯電話を軽快に使用することができると共に、上記携帯電話を使用しないときは上記蓋部材を閉止して上記帯状体の内面を上記携帯電話の背面及びに上記蓋部材の表面に沿った状態となして好適に上記携帯電話を携行することができる。
【００６６】
請求項３に記載の携帯電話ケースは、上半部と下半部とが互いに折り畳み可能に枢着された携帯電話のケースであって、ケース主体は携帯電話の上半部と下半部とを収納するケース上半部とケース下半部とを折り畳み可能に形成していると共に、指掛用帯状体の上下端部を上記ケース主体の上下半部背面の対向部に夫々取付けて、上記ケース主体の上下半部を折り畳んだ状態においては上記帯状体を上記ケース主体の上下半部の間において緊張させ、上記ケース主体の上下半部を展開した状態においては上記帯状体を上記ケース主体の上下半部の間において弛緩させて上記帯状体の内面と上記ケース主体の背面との対向面間に指が挿通可能な指挿通孔を形成するように構成していることを特徴としているので、上記携帯電話ケースに折り畳み可能な携帯電話を収納して使用すれば、上記携帯電話を使用する際には上記携帯電話ケースを展開して上記帯状体を弛緩させて上記帯状体の内面と上記ケース主体の背面との対向面間に形成された指挿通孔に一本の指を挿通して上記携帯電話ケースを落下を防止した状態で安定的に保持する一方で上記一本の指を除いた指を自由な状態になして、自由な状態になされた指を適宜動かしながら親指で上記携帯電話のボタンを確実に押して上記携帯電話を軽快に操作することができると共に、上記携帯電話を使用しない際は上記携帯電話ケースを折り畳んで上記帯状体を上記ケース主体の上下半部の間において緊張させて上記ケース主体の背面及び上記携帯電話の背面に沿った状態になして、上記携帯電話ケース及び上記携帯電話を好適に携行することができる。
【図面の簡単な説明】
【図１】  本発明の第１実施例の携帯電話を示した側面図である。
【図２】  その側面図である。
【図３】  その使用状態を示した斜視図である。
【図４】  本発明の第２実施例の携帯電話を示した側面図である。
【図５】  その側面図である。
【図６】  本発明の第３実施例の携帯電話を示した側面図である。
【図７】  その側面図である。
【図８】  その使用状態を示した斜視図である。
【図９】  本発明の第４実施例の携帯電話を示した側面図である。
【図１０】  その側面図である。
【図１１】  本発明の第５実施例の携帯電話ケースを示した斜視図である。
【図１２】  その使用状態を示した側面図である。
【図１３】  その側面図である。
【図１４】  その斜視図である。
【図１５】  本発明の第６実施例の携帯電話ケースを示した斜視図である。
【図１６】  本発明の第７実施例の携帯電話ケースを示した側面図である。
【図１７】  その側面図である。
【符号の説明】
６、７  携帯電話
66、75、86  指挿通孔
64、73、85  指掛用帯状体
61、62    携帯電話上下半部
80  ケース主体
81、82  ケース上下半部
Ａ  中指
Ｅ  通常の折り畳み可能な携帯電話
Ｔ  親指
【図１】
0003658344.tif 000002
【図２】
0003658344.tif 000003
【図３】
0003658344.tif 000004
【図４】
0003658344.tif 000005
【図５】
0003658344.tif 000006
【図６】
0003658344.tif 000007
【図７】
0003658344.tif 000008
【図８】
0003658344.tif 000009
【図９】
0003658344.tif 000010
【図１０】
0003658344.tif 000011
【図１１】
0003658344.tif 000012
【図１２】
0003658344.tif 000013
【図１３】
0003658344.tif 000014
【図１４】
0003658344.tif 000015
【図１５】
0003658344.tif 000016
【図１６】
0003658344.tif 000017
【図１７】
0003658344.tif 000018